(57)【要約】【課題】一軸結晶で構成された透光性基板における光の偏光状態の変化を緩和し、この結果、プロジェクタによって投写表示される画像のコントラストの低下を抑制することのできる技術を提供する。【解決手段】プロジェクタは、照明光学系と、電気光学装置と、投写光学系と、を備える。照明光学系から投写光学系までの光路には、一対の透光性基板が設けられている。一対の透光性基板のそれぞれは、その表面とほぼ平行に光学軸を含む一軸結晶で構成されており、一対の透光性基板の光学軸は、互いにほぼ直交しており、一対の透光性基板の厚みは、一対の透光性基板を密接させた状態で一対の透光性基板に垂直な光を一対の透光性基板に入射させると仮定した場合に、一対の透光性基板に入射する光の偏光状態と、一対の透光性基板から射出される光の偏光状態と、が同じになるように、設定されている。【選択図】　図３
2004085862.tif 000002
【特許請求の範囲】
【請求項１】
プロジェクタであって、
照明光学系と、
前記照明光学系からの光を画像情報に応じて変調する電気光学装置と、
前記電気光学装置で得られる変調光を投写する投写光学系と、
を備え、
前記照明光学系から前記投写光学系までの光路には、一対の透光性基板が設けられており、
前記一対の透光性基板のそれぞれは、その表面とほぼ平行に光学軸を含む一軸結晶で構成されており、
前記一対の透光性基板の光学軸は、互いにほぼ直交しており、
前記一対の透光性基板の厚みは、前記一対の透光性基板を密接させた状態で前記一対の透光性基板に垂直な光を前記一対の透光性基板に入射させると仮定した場合に、前記一対の透光性基板に入射する光の偏光状態と、前記一対の透光性基板から射出される光の偏光状態と、が同じになるように、設定されていることを特徴とするプロジェクタ。
【請求項２】
請求項１記載のプロジェクタであって、
前記一対の透光性基板は、前記電気光学装置に含まれている、プロジェクタ。
【請求項３】
請求項２記載のプロジェクタであって、
前記電気光学装置は、光入射面側と光射出面側とのうちの少なくとも一方に、
偏光板と、
前記偏光板が設けられたベース基板と、
を備え、
前記ベース基板は、互いに密接した状態で設けられた前記一対の透光性基板を含む、プロジェクタ。
【請求項４】
請求項２記載のプロジェクタであって、
前記電気光学装置は、
液晶パネルと、
前記液晶パネルの光入射面側と光射出面側とのうちの少なくとも一方に設けられた偏光板と、
を備え、
前記一対の透光性基板のうちの一方は、前記液晶パネルの２つの面のうちの前記偏光板に対向する面を形成しており、他方は、前記偏光板の２つの面のうちの前記液晶パネルに対向する面に設けられている、プロジェクタ。
【請求項５】
請求項２記載のプロジェクタであって、
前記電気光学装置は、液晶パネルを備え、
前記一対の透光性基板のうちの一方は、前記液晶パネルの光入射面を形成しており、他方は、前記液晶パネルの光射出面を形成している、プロジェクタ。
【請求項６】
請求項１記載のプロジェクタであって、
前記一対の透光性基板は、同じ材料で構成されている、プロジェクタ。
【請求項７】
請求項６記載のプロジェクタであって、
前記一対の透光性基板は、単結晶サファイアで構成されている、プロジェクタ。
【請求項８】
請求項６記載のプロジェクタであって、
前記一対の透光性基板は、水晶で構成されている、プロジェクタ。
【請求項９】
請求項６記載のプロジェクタであって、
前記一対の透光性基板は、ほぼ等しい厚みを有している、プロジェクタ。
【請求項１０】
偏光装置であって、
偏光板と、
前記偏光板が設けられたベース基板と、
を備え、
前記ベース基板は、互いに密接した状態で設けられた一対の透光性基板を含んでおり、
前記一対の透光性基板のそれぞれは、その表面とほぼ平行に光学軸を含む一軸結晶で構成されており、
前記一対の透光性基板の光学軸は、互いにほぼ直交しており、
前記一対の透光性基板の厚みは、前記一対の透光性基板に垂直な光を前記一対の透光性基板に入射させると仮定した場合に、前記一対の透光性基板に入射する光の偏光状態と、前記一対の透光性基板から射出される光の偏光状態と、が同じになるように、設定されていることを特徴とする偏光装置。
【請求項１１】
液晶パネルであって、
液晶層と、
前記液晶層の両側にそれぞれ設けられ、前記液晶パネルの光入射面と光射出面とを形成する一対の透光性基板と、
を備え、
前記一対の透光性基板のそれぞれは、その表面とほぼ平行に光学軸を含む一軸結晶で構成されており、
前記一対の透光性基板の光学軸は、互いにほぼ直交しており、
前記一対の透光性基板の厚みは、前記一対の透光性基板を密接させた状態で前記一対の透光性基板に垂直な光を前記一対の透光性基板に入射させると仮定した場合に、前記一対の透光性基板に入射する光の偏光状態と、前記一対の透光性基板から射出される光の偏光状態と、が同じになるように、設定されていることを特徴とする液晶パネル。
【発明の詳細な説明】
【０００１】
【発明の属する技術分野】
この発明は、画像を投写表示するプロジェクタに関する。
【０００２】
【従来の技術】
プロジェクタでは、照明光学系から射出された光を液晶ライトバルブを用いて画像情報（画像信号）に応じて変調し、変調された光をスクリーン上に投写することにより、画像表示が実現される。
【０００３】
液晶ライトバルブは、通常、液晶パネルと、その光入射面側や光射出面側に設けられた偏光板と、を備えている。偏光板は、偏光軸方向の光成分のみを透過させ、他の光成分を遮断する。このため、偏光板からは、その偏光軸方向に電気ベクトルが振動する直線偏光光が射出される。
【０００４】
偏光板は、通常、偏光軸方向以外の光成分を遮断する際に発熱する。この発熱により偏光板の温度が上昇すると、偏光板自体の歪みや劣化が生じる。従来では、この温度上昇を低減させるために、偏光板は、比較的高い熱伝導率を有する１つの単結晶サファイア基板上に貼り付けられていた。
【０００５】
ところで、単結晶サファイア基板は、１つの光学軸（ｃ軸と呼ばれる）を有する一軸結晶である。このため、単結晶サファイア基板がその表面とほぼ平行にｃ軸を含む場合には、入射する直線偏光光の偏光方向（電気ベクトルの振動方向）と単結晶サファイアのｃ軸とを、平行または垂直に正確に設定する必要があった。
【０００６】
【発明が解決しようとする課題】
しかしながら、直線偏光光の偏光方向（すなわち、偏光板の偏光軸）と単結晶サファイアのｃ軸とが平行または垂直になるように、偏光板を単結晶サファイア基板に貼り付けるのは、困難であった。このため、実際には、単結晶サファイア基板に入射する光の偏光状態は、単結晶サファイア基板での複屈折に起因して変化してしまう。このとき、液晶ライトバルブは、透過すべきでない光を透過してしまったり、遮断すべきでない光を遮断してしまったりして、この結果、投写表示される画像のコントラストが低下してしまう。
【０００７】
なお、この問題は、偏光板を単結晶サファイア基板に貼り付ける場合に限らず、一軸結晶で構成された透光性基板を使用する場合に共通する。
【０００８】
この発明は、従来技術における上述の課題を解決するためになされたものであり、一軸結晶で構成された透光性基板における光の偏光状態の変化を緩和し、この結果、プロジェクタによって投写表示される画像のコントラストの低下を抑制することのできる技術を提供することを目的とする。
【０００９】
【課題を解決するための手段およびその作用・効果】
上述の課題の少なくとも一部を解決するため、本発明の第１の装置は、プロジェクタであって、
照明光学系と、
前記照明光学系からの光を画像情報に応じて変調する電気光学装置と、
前記電気光学装置で得られる変調光を投写する投写光学系と、
を備え、
前記照明光学系から前記投写光学系までの光路には、一対の透光性基板が設けられており、
前記一対の透光性基板のそれぞれは、その表面とほぼ平行に光学軸を含む一軸結晶で構成されており、
前記一対の透光性基板の光学軸は、互いにほぼ直交しており、
前記一対の透光性基板の厚みは、前記一対の透光性基板を密接させた状態で前記一対の透光性基板に垂直な光を前記一対の透光性基板に入射させると仮定した場合に、前記一対の透光性基板に入射する光の偏光状態と、前記一対の透光性基板から射出される光の偏光状態と、が同じになるように、設定されていることを特徴とする。
【００１０】
このプロジェクタでは、一対の透光性基板は上記の関係で設けられているため、各透光性基板における光の偏光状態の変化を緩和することができ、この結果、プロジェクタによって投写表示される画像のコントラストの低下を抑制することが可能となる。
【００１１】
上記の装置において、
前記一対の透光性基板は、前記電気光学装置に含まれているようにしてもよい。
【００１２】
具体的には、
前記電気光学装置は、光入射面側と光射出面側とのうちの少なくとも一方に、
偏光板と、
前記偏光板が設けられたベース基板と、
を備え、
前記ベース基板は、互いに密接した状態で設けられた前記一対の透光性基板を含むことが好ましい。
【００１３】
このように、透光性基板が偏光板に接触していれば、偏光板の温度上昇を低減させることができる。
【００１４】
また、前記電気光学装置は、
液晶パネルと、
前記液晶パネルの光入射面側と光射出面側とのうちの少なくとも一方に設けられた偏光板と、
を備え、
前記一対の透光性基板のうちの一方は、前記液晶パネルの２つの面のうちの前記偏光板に対向する面を形成しており、他方は、前記偏光板の２つの面のうちの前記液晶パネルに対向する面に設けられているようにしてもよい。
【００１５】
ここで、一対の透光性基板は、互いに密接した状態で設けられていてもよいし、離れた状態で設けられていてもよい。
【００１６】
このようにすれば、一対の透光性基板は、液晶パネルと偏光板との双方の温度上昇を低減させることができる。
【００１７】
また、前記電気光学装置は、液晶パネルを備え、
前記一対の透光性基板のうちの一方は、前記液晶パネルの光入射面を形成しており、他方は、前記液晶パネルの光射出面を形成していてもよい。
【００１８】
このように、一対の透光性基板が液晶パネルの光入射面および光射出面を形成すれば、液晶パネルの温度上昇を効率よく低減させることができる。
【００１９】
上記の装置において、
前記一対の透光性基板は、同じ材料で構成されていることが好ましい。
【００２０】
例えば、一対の透光性基板は、単結晶サファイアで構成されていてもよいし、水晶で構成されていてもよい。
【００２１】
こうすれば、プロジェクタを比較的容易に作製することができる。
【００２２】
なお、一対の透光性基板は、異なる材料で構成されていてもよい。
【００２３】
また、上記の装置において、前記一対の透光性基板が同じ材料で構成されている場合には、前記一対の透光性基板は、ほぼ等しい厚みを有していることが好ましい。
【００２４】
こうすれば、プロジェクタを比較的容易に作製することができる。
【００２５】
なお、一対の透光性基板は、異なる厚みを有していてもよい。
【００２６】
本発明の第２の装置は、偏光装置であって、
偏光板と、
前記偏光板が設けられたベース基板と、
を備え、
前記ベース基板は、互いに密接した状態で設けられた一対の透光性基板を含んでおり、
前記一対の透光性基板のそれぞれは、その表面とほぼ平行に光学軸を含む一軸結晶で構成されており、
前記一対の透光性基板の光学軸は、互いにほぼ直交しており、
前記一対の透光性基板の厚みは、前記一対の透光性基板に垂直な光を前記一対の透光性基板に入射させると仮定した場合に、前記一対の透光性基板に入射する光の偏光状態と、前記一対の透光性基板から射出される光の偏光状態と、が同じになるように、設定されていることを特徴とする。
【００２７】
この偏光装置では、一対の透光性基板は上記の関係で設けられているため、各透光性基板における光の偏光状態の変化を緩和することができる。したがって、この偏光装置をプロジェクタに適用すれば、プロジェクタによって投写表示される画像のコントラストの低下を抑制することが可能となる。
【００２８】
本発明の第３の装置は、液晶パネルであって、
液晶層と、
前記液晶層の両側にそれぞれ設けられ、前記液晶パネルの光入射面と光射出面とを形成する一対の透光性基板と、
を備え、
前記一対の透光性基板のそれぞれは、その表面とほぼ平行に光学軸を含む一軸結晶で構成されており、
前記一対の透光性基板の光学軸は、互いにほぼ直交しており、
前記一対の透光性基板の厚みは、前記一対の透光性基板を密接させた状態で前記一対の透光性基板に垂直な光を前記一対の透光性基板に入射させると仮定した場合に、前記一対の透光性基板に入射する光の偏光状態と、前記一対の透光性基板から射出される光の偏光状態と、が同じになるように、設定されていることを特徴とする。
【００２９】
この液晶パネルでは、一対の透光性基板は上記の関係で設けられているため、各透光性基板における光の偏光状態の変化を緩和することができる。したがって、この液晶パネルをプロジェクタに適用すれば、プロジェクタによって投写表示される画像のコントラストの低下を抑制することが可能となる。
【００３０】
【発明の実施の形態】
Ａ．第１実施例：
次に、本発明の実施の形態を実施例に基づき説明する。図１は、プロジェクタの一例を示す概略構成図である。プロジェクタ１０００は、照明光学系１００と、色光分離光学系２００と、リレー光学系２２０と、３つの液晶ライトバルブ３００Ｒ，３００Ｇ，３００Ｂと、クロスダイクロイックプリズム３６０と、投写光学系３８０とを備えている。
【００３１】
照明光学系１００は、偏光変換素子１６０を含んでおり、光源装置１２０から射出された光を偏光方向の揃った１種類の直線偏光光に変換して射出する。照明光学系１００から射出された光は、色光分離光学系２００において赤（Ｒ）、緑（Ｇ）、青（Ｂ）の３色の色光に分離される。分離された各色光は、液晶ライトバルブ３００Ｒ，３００Ｇ，３００Ｂにおいて画像情報に応じて変調される。各液晶ライトバルブにおいて変調された各変調光は、クロスダイクロイックプリズム３６０で合成される。合成光は、投写光学系３８０によってスクリーンＳＣ上に投写される。これにより、スクリーンＳＣ上にカラー画像が表示される。なお、図１に示すようなプロジェクタの各部の構成および機能については、例えば、本願出願人によって開示された特開２００２−１４４１９号公報に詳述されているので、本明細書における詳細な説明は省略する。
【００３２】
図２は、図１の第１の液晶ライトバルブ３００Ｒを拡大して示す説明図である。なお、以下では、赤色光Ｒが入射する第１の液晶ライトバルブ３００Ｒに注目して説明するが、緑色光Ｇが入射する第２の液晶ライトバルブ３００Ｇおよび青色光Ｂが入射する第３の液晶ライトバルブ３００Ｂについてもほぼ同様である。
【００３３】
液晶ライトバルブ３００Ｒは、液晶パネル３１０と、液晶パネルの光入射面側に設けられた第１の偏光装置３２０と、液晶パネルの光射出面側に設けられた第２の偏光装置３３０と、を備えている。
【００３４】
第１の偏光装置３２０は、偏光板３２１と、偏光板３２１が貼り付けられたベース基板３２３と、を備えている。ベース基板３２３は、一対の単結晶サファイア基板３２３ａ，３２３ｂを含んでいる。一対の単結晶サファイア基板３２３ａ，３２３ｂは、例えば、光学接着剤によって貼り付けられており、互いに密接した状態で設けられている。
【００３５】
同様に、第２の偏光装置３３０は、偏光板３３１と、偏光板３３１が貼り付けられたベース基板３３３と、を備えており、ベース基板３３３は、互いに密接した状態で設けられた一対の単結晶サファイア基板３３３ａ，３３３ｂを含んでいる。
【００３６】
液晶ライトバルブ３００Ｒに入射する色光Ｒは、偏光変換素子１６０を備える照明光学系１００（図１）から射出されているため、直線偏光光である。色光Ｒは、第１のベース基板３２３を通過した後に、第１の偏光板３２１に入射する。偏光板は、入射する光のうち、偏光軸方向の光成分のみを透過させ、他の光成分を遮断する機能を有している。このため、第１の偏光板３２１からは、偏光軸方向に電気ベクトルが振動する直線偏光光が射出される。本実施例では、第１の偏光板３２１の偏光軸は、入射する直線偏光光（色光Ｒ）の偏光方向とほぼ同じになるように設定されている。したがって、入射する直線偏光光の殆どが第１の偏光板３２１を透過する。なお、図２では、第１の偏光板３２１の偏光軸は、ｚ方向に設定されている。第１の偏光板３２１から射出された直線偏光光は、液晶パネル３１０において、与えられた画像情報に応じて変調される。第２の偏光板３３１は、液晶パネル３１０から射出された光のうち、偏光軸方向の光成分のみを透過させる。なお、図２では、第２の偏光板３３１の偏光軸は、ｙ方向に設定されており、第１の偏光板３２１の偏光軸とほぼ直交する。第２の偏光板３３１から射出された直線偏光光は、第２のベース基板３３３を通過して、液晶ライトバルブ３００Ｒから射出される。
【００３７】
前述のように、従来では、偏光板は、比較的高い熱伝導率を有する１つの単結晶サファイア基板上に貼り付けられていたが、本実施例では、偏光板３２１，３３１は、一対の単結晶サファイア基板で構成されるベース基板３２３，３３３上に貼り付けられている。この構成を採用することによって、偏光板の温度上昇を低減させることができる。また、各ベース基板に入射する光の偏光状態と、各ベース基板から射出される光の偏光状態とを、ほぼ同じにすることが可能となっている。
【００３８】
すなわち、単結晶サファイアは、ｃ軸と呼ばれる１つの光学軸を有する一軸結晶である。このため、単結晶サファイアは、ｃ軸方向とｃ軸に直交する方向とで異なる屈折率を有しており、複屈折を誘起する。具体的には、一軸結晶に光が入射すると、通常、光の偏光状態が変化する。例えば、単結晶サファイア基板がその表面とほぼ平行にｃ軸を含む場合には、直線偏光光の偏光方向と単結晶サファイアのｃ軸との間の角度に応じて、直線偏光光は、楕円偏光光等に変化する。これは、常光線に対する屈折率と、異常光線に対する屈折率とが、相違し、常光線と異常光線との間に位相差が発生するためである。仮に、直線偏光光の偏光方向と単結晶サファイアのｃ軸とが、平行または垂直に正確に設定される場合には、単結晶サファイア基板に入射する直線偏光光はそのままの偏光状態で単結晶サファイア基板から射出される。
【００３９】
しかしながら、直線偏光光の偏光方向（すなわち、偏光板の偏光軸）と単結晶サファイアのｃ軸とが平行または垂直になるように、偏光板を単結晶サファイア基板に貼り付けるのは困難である。そこで、本実施例では、一対の単結晶サファイア基板で各ベース基板を構成している。
【００４０】
図３は、図２の第１のベース基板３２３を構成する一対の単結晶サファイア基板３２３ａ，３２３ｂの関係を示す説明図である。図３（Ａ）は、一対の単結晶サファイア基板３２３ａ，３２３ｂを離れた状態で配置したときの斜視図を示し、図３（Ｂ）は、一対の単結晶サファイア基板３２３ａ，３２３ｂを図中−ｘ方向から見たときの平面図を示す。なお、図２の第２のベース基板３３３を構成する一対の単結晶サファイア基板３３３ａ，３３３ｂについても同様である。
【００４１】
図示するように、一対の単結晶サファイア基板３２３ａ，３２３ｂは、略正方形の外形形状を有している。一対の単結晶サファイア基板３２３ａ，３２３ｂのそれぞれは、その表面とほぼ平行にｃ軸を含んでおり、一対の単結晶サファイア基板３２３ａ，３２３ｂのｃ軸は、互いにほぼ直交している。なお、図３（Ａ），（Ｂ）では、各単結晶サファイア基板のｃ軸は、基板の直交する２辺のうちのいずれか一方の辺から、角度θだけ傾いている。また、一対の単結晶サファイア基板３２３ａ，３２３ｂの厚みＤ１，Ｄ２は、ほぼ等しく設定されている。
【００４２】
このように、一対の単結晶サファイア基板のｃ軸がほぼ直交しており、一対の単結晶サファイア基板の厚みがほぼ等しい場合には、第１の単結晶サファイア基板３２３ａでの複屈折に起因する第１の位相差と、第２の単結晶サファイア基板３２３ｂでの複屈折に起因する第２の位相差とが、キャンセルされる。この結果、ベース基板３２３に入射する光の偏光状態と、ベース基板３２３から射出される光の偏光状態とを、ほぼ同じにすることができる。したがって、偏光板の偏光軸と単結晶サファイアのｃ軸とが平行または垂直になるように、偏光板を単結晶サファイア基板に貼り付ける必要がない。このため、偏光板３２１をベース基板３２３上に貼り付ける際の困難な位置合わせを省略することができる。
【００４３】
ところで、単結晶サファイア基板は、例えば、周知のＥＦＧ法（Ｅｄｇｅ−ｄｅｆｉｎｅｄＦｉｌｍ−ｆｅｄ　Ｇｒｏｗｔｈ　Ｍｅｔｈｏｄ　）を用いて作製可能である。図４は、ＥＦＧ法を用いる結晶成長装置を示す説明図である。この装置は、アルミナ融液ＭＡを貯える坩堝７１０と、坩堝を囲むようにして配置された加熱コイル７２０と、成長する結晶の外形形状を決定するスリット７３０ｓを含む結晶成長用の型７３０と、を備えている。
【００４４】
坩堝７１０は、加熱コイル７２０によって加熱される。坩堝７１０内のアルミナ融液ＭＡは、毛細管現象によって、スリット７３０ｓ内を満たし、型７３０上端まで誘導される。そして、型７３０の上端に誘導されたアルミナ融液中に単結晶サファイアの種子結晶を配置して、種子結晶をゆっくりと引き上げると、板状の単結晶サファイア板７４０が得られる。
【００４５】
この結晶成長装置を用いる場合には、種子結晶と型７３０との位置関係を精度よく調整することにより、板の表面とｃ軸とがほぼ平行となるような単結晶サファイア板を生成することが可能である。また、板の一辺とｃ軸とがほぼ直交するような単結晶サファイア板を生成することも可能である。しかしながら、実際には、ｃ軸は、板の一辺に対して傾くことが多い。そこで、本実施例では、ベース基板３２３の作製方法を工夫している。
【００４６】
図５は、図４の単結晶サファイア板７４０を用いてベース基板３２３を作製する手順を示す説明図である。図５（Ａ）は、図４で得られた単結晶サファイア板７４０を示している。なお、単結晶サファイア板７４０は、一枚の板であるため、各部分におけるｃ軸は、互いに平行である。図５（Ａ）では、複数の略正方形の単結晶サファイア基板が切り出される。図５（Ｂ）は、図５（Ａ）で得られた２つの単結晶サファイア基板３２３ａ，３２３ｂを示している。なお、２つの単結晶サファイア基板３２３ａ，３２３ｂとしては、図５（Ａ）の単結晶サファイア板７４０において隣接する部分が選択されている。図５（Ｃ）は、図５（Ｂ）の２つの単結晶サファイア基板３２３ａ，３２３ｂを貼り合わせることによって得られたベース基板３２３を示している。このとき、２つの単結晶サファイア基板３２３ａ，３２３ｂのｃ軸は、ほぼ直交するように組み合わされる。これは、例えば、図５（Ｂ）に示す黒丸印の２つの直角部分が重なるように、第２の単結晶サファイア基板３２３ｂを反時計回りに９０°回転させることによって、実現される。
【００４７】
上記のような手順でベース基板３２３を作製すれば、一対の単結晶サファイア基板３２３ａ，３２３ｂのｃ軸を、単結晶サファイア板７４０に対する加工精度を利用して、比較的正確に直交させることができる。本実施例では、単結晶サファイア板７４０に対する加工精度は比較的高いため、例えば、２つのｃ軸のずれ角が±約０．２°以内となるように、ベース基板３２３を作製可能である。なお、２つのｃ軸のずれ角は、±約１°以内であることが好ましく、±約０．５°以内であることが望ましい。
【００４８】
また、上記のような手順でベース基板３２３を作製すれば、換言すれば、比較的大きな単結晶サファイア板７４０を用いれば、一対の単結晶サファイア基板３２３ａ，３２３ｂの厚みを、容易にほぼ等しく設定することができる。なお、２つの単結晶サファイア基板の厚みの差分は、一方の単結晶サファイア基板の厚みの±約０．０５ｍｍ以内であることが好ましく、±約０．０２ｍｍ以内であることがより好ましく、±約０．０１ｍｍ以内であることがさらに好ましい。
【００４９】
なお、本実施例では、一対の単結晶サファイア基板は、略正方形の外形形状を有しているが、光学軸が互いにほぼ直交していれば、略長方形などの他の外形形状を有していてもよい。
【００５０】
以上説明したように、本実施例では、偏光装置は、偏光板と、偏光板が設けられたベース基板と、を備えている。ベース基板は、互いに密接した状態で設けられた一対の単結晶サファイア基板を含んでいる。一対の単結晶サファイア基板のそれぞれは、その表面とほぼ平行にｃ軸を含んでいる。そして、一対の単結晶サファイア基板のｃ軸は、互いにほぼ直交しており、一対の単結晶サファイア基板の厚みは、ほぼ等しく設定されている。
【００５１】
このように、単結晶サファイア基板が偏光板に接触していれば、偏光板の温度上昇を低減させることができる。また、ベース基板が互いに密接した状態の一対の単結晶サファイア基板を含んでいるため、ベース基板に入射する光の偏光状態と、ベース基板から射出される光の偏光状態とを、ほぼ同じにすることができる。すなわち、２つの単結晶サファイア基板を組み合わせて用いることにより、各単結晶サファイア基板での複屈折に起因する光の偏光状態の変化を緩和することができ、この結果、プロジェクタによって投写表示される画像のコントラストの低下を抑制することが可能となる。
【００５２】
なお、本実施例では、一対の単結晶サファイア基板は、光学接着剤で互いに貼り付けられているが、これに代えて、図示しない保持具によって互いに直接接触する状態で保持されていてもよい。このように、一対の単結晶サファイア基板は、互いに密接した状態で設けられていることが好ましい。こうすれば、各単結晶サファイア基板の表面における光の反射を低減させることができるという利点がある。
【００５３】
また、本実施例では、液晶ライトバルブ３００Ｒは、光入射面側と光射出面側との双方に偏光板３２１，３３１を備えている。しかしながら、本実施例のように、プロジェクタ１０００が直線偏光光を射出する照明光学系１００を備える場合には、光入射面側の偏光板３２１は、省略可能である。ただし、プロジェクタが偏りのない光を射出する照明光学系を備える場合には、液晶ライトバルブは、光入射面側と光射出面側との双方に偏光板を備えることが望ましい。
【００５４】
さらに、本実施例では、液晶ライトバルブ３００Ｒは、光入射面側に、第１の偏光板３２１が貼り付けられた第１のベース基板３２３を備えている。しかしながら、本実施例のように、プロジェクタ１０００が直線偏光光を射出する照明光学系１００を備える場合には、第１の偏光板３２１は、入射する直線偏光光の殆どを透過させるため、その温度上昇は比較的低い。したがって、第１の偏光板は、一対の単結晶サファイア基板で構成されるベース基板に代えて、通常の１つのガラス基板上に貼り付けられていてもよい。
【００５５】
一般には、液晶ライトバルブは、光入射面側と光射出面側とのうちの少なくとも一方に、偏光板と、偏光板が設けられたベース基板と、を備え、ベース基板は、互いに密接した状態で設けられた一対の単結晶サファイア基板を含んでいればよい。
【００５６】
Ａ−１．第１実施例の変形例：
図６は、第１実施例の変形例としての第１の液晶ライトバルブ３００ＲＡを示す説明図である。この液晶ライトバルブ３００ＲＡは、図２の液晶ライトバルブ３００Ｒとほぼ同じであるが、第１の偏光装置３２０Ａと第２の偏光装置３３０Ａとが変更されている。
【００５７】
具体的には、図２では、第１の偏光装置３２０は、その光射出面側に偏光板３２１を備えており、第２の偏光装置３３０は、その光入射面側に偏光板３３１を備えている。一方、図６では、第１の偏光装置３２０Ａは、その光入射面側に偏光板３２１を備えており、第２の偏光装置３３０Ａは、その光射出面側に偏光板３３１を備えている。
【００５８】
図６の構成を採用する場合にも、図２の構成を採用する場合と同様に、各単結晶サファイア基板における光の偏光状態の変化を緩和することができ、この結果、プロジェクタによって投写表示される画像のコントラストの低下を抑制することができる。ただし、図２の構成を採用する場合には、画像のコントラストの低下をより抑制することができるという利点がある。これは、一対の単結晶サファイア基板のｃ軸は、実際には、互いに直交する状態から僅かにずれているためである。
【００５９】
すなわち、図６では、光は、第１の偏光板３２１と第１のベース基板３２３とをこの順序で通る。このため、第１の偏光板３２１から射出された直線偏光光が第１のベース基板３２３を通過する際には、光の偏光方向が僅かに変化し、この結果、第１の偏光装置３２０Ａからは直線偏光光以外の光も射出される。また、図６では、光は、第２のベース基板３３３と第２の偏光板３３１とをこの順序で通る。このため、液晶パネル３１０から射出された変調光が第２のベース基板３３３を通過する際には、光の偏光状態が僅かに変化し、この結果、第２の偏光板３３１には、意図しない偏光状態を有する光も入射する。したがって、図６の配置を採用する場合には、液晶ライトバルブ３００ＲＡは、透過すべきでない光を透過してしまったり、遮断すべきでない光を遮断してしまったりする。このとき、投写表示される画像のコントラストは、やや低下する。
【００６０】
逆に、図２では、光は、第１のベース基板３２３と第１の偏光板３２１とをこの順序で通る。このため、第１の偏光装置３２０からは直線偏光光のみが射出される。また、図２では、光は、第２の偏光板３３１と第２のベース基板３３３とをこの順序で通る。このため、第２の偏光板３３１には、意図する偏光状態を有する光のみが入射する。したがって、図２の構成を採用する場合には、ベース基板３２３，３３３において光の偏光状態が変化しても、液晶ライトバルブ３００Ｒは、透過すべき光を透過させ、遮断すべき光を遮断することができる。この結果、投写表示される画像のコントラストの低下をより抑制することができる。
【００６１】
Ｂ．第２実施例：
図７は、第２実施例における第１の液晶ライトバルブ３００ＲＢを示す説明図である。図７は、図２とほぼ同じであるが、液晶パネル３１０Ｂが変更されている。
【００６２】
具体的には、液晶パネル３１０Ｂは、液晶パネル本体３０１と、液晶パネル３１０Ｂの光入射面を形成する第１のカバー基板３１１と、液晶パネル３１０Ｂの光射出面を形成する第２のカバー基板３１２と、を備えている。２つのカバー基板３１１，３１２は、液晶パネル本体３０１の温度上昇を低減させる機能を有しているとともに、液晶パネル３１０Ｂ上に付着した塵が投写表示される画像内に現れるのを防止する機能を有している。
【００６３】
図８は、図７の液晶パネル３１０Ｂの概略断面図である。図示するように、液晶パネル本体３０１は、２つのガラス基板３０２，３０３と、２つのガラス基板に挟まれた液晶層３０４と、液晶が漏れ出すのを防止するためのシール部材３０４ｓと、を備えている。第１のガラス基板３０２の液晶層３０４側の面には、透明な共通電極３０２ａが形成されている。第２のガラス基板３０３の液晶層３０４側の面には、薄膜トランジスタ（図示せず）と透明な画素電極３０３ａとが画素毎にマトリクス状に形成されている。図７で説明したように、液晶パネル本体３０１には、第１のカバー基板３１１と２のカバー基板３１２とが貼り付けられている。
【００６４】
第１のカバー基板３１１は、互いに密接した状態で設けられた一対の単結晶サファイア基板３１１ａ，３１１ｂで構成されている。なお、一対の単結晶サファイア基板３１１ａ，３１１ｂは、図３（Ａ）に示す関係で配置されている。具体的には、一対の単結晶サファイア基板３１１ａ，３１１ｂのそれぞれは、その表面とほぼ平行にｃ軸を含んでおり、一対の単結晶サファイア基板３１１ａ，３１１ｂのｃ軸は、互いにほぼ直交している。また、一対の単結晶サファイア基板３１１ａ，３１１ｂの厚みは、ほぼ等しく設定されている。なお、第２のカバー基板３１２を構成する一対の単結晶サファイア基板３１２ａ，３１２ｂについても同様である。
【００６５】
このように、単結晶サファイア基板が液晶パネルに接触していれば、液晶パネルの温度上昇を効率よく低減させることができる。また、カバー基板が互いに密接した状態の一対の単結晶サファイア基板を含んでいるため、カバー基板に入射する光の偏光状態と、カバー基板から射出される光の偏光状態とを、ほぼ同じにすることができる。すなわち、各単結晶サファイア基板における光の偏光状態の変化を緩和することができ、この結果、プロジェクタによって投写表示される画像のコントラストの低下を抑制することが可能となる。
【００６６】
なお、本実施例では、液晶パネル３１０Ｂは、液晶層３０４を挟み込む２つのガラス基板３０２，３０３を備えているが、２つのガラス基板は省略可能である。この場合には、第１のカバー基板３１１の液晶層３０４側の面と、第２のカバー基板３１２の液晶層３０４側の面とに、電極を形成すればよい。
【００６７】
また、本実施例では、液晶ライトバルブ３００ＲＢは、液晶パネルの光入射面および光射出面を形成する２つのカバー基板３１１，３１２を備えているが、いずれか一方のみを備えているようにしてもよい。
【００６８】
Ｃ．第３実施例：
図９は、第３実施例における第１の液晶ライトバルブ３００ＲＣを示す説明図である。図９は、図７とほぼ同じであるが、２つの偏光板３２１，３３１の配置が変更されている。
【００６９】
具体的には、第１の偏光板３２１は、液晶パネル３１０Ｂの光入射面を形成する第１のカバー基板３１１上に貼り付けられており、第２の偏光板３３１は、液晶パネル３１０Ｂの光射出面を形成する第２のカバー基板３１２上に貼り付けられている。
【００７０】
本実施例の構成を採用する場合には、図７の構成を採用する場合と比較して、２つの偏光板３２１，３３１を設けるための２つのベース基板３２３，３３３を省略することができるという利点がある。ただし、図７の構成を採用する場合には、液晶パネル３１０Ｂと２つの偏光板３２１，３３１との双方の温度上昇を効率よく低減させることができるという利点がある。
【００７１】
Ｄ．第４実施例：
図１０は、第４実施例における第１の液晶ライトバルブ３００ＲＤを示す説明図である。図１０は、図６とほぼ同じであるが、液晶ライトバルブ３００ＲＤの光入射面側の一対の単結晶サファイア基板の配置と、光射出面側の一対の単結晶サファイア基板の配置とが、変更されている。
【００７２】
具体的には、図６では、第１の偏光装置３２０Ａは、一対の単結晶サファイア基板３２３ａ，３２３ｂで構成されたベース基板３２３を備えている。一方、図１０では、第１の偏光装置３２０Ｄは、１つの単結晶サファイア基板３４１ａで構成されたベース基板を備えている。また、液晶パネル３１０Ｄは、１つの単結晶サファイア基板３４１ｂで構成されたカバー基板を備えている。
【００７３】
なお、一対の単結晶サファイア基板３４１ａ，３４１ｂは、図３（Ａ）に示す関係で配置されている。具体的には、一対の単結晶サファイア基板３４１ａ，３４１ｂのそれぞれは、その表面とほぼ平行にｃ軸を含んでおり、一対の単結晶サファイア基板３４１ａ，３４１ｂのｃ軸は、互いにほぼ直交している。また、一対の単結晶サファイア基板３４１ａ，３４１ｂの厚みは、ほぼ等しく設定されている。
【００７４】
同様に、図１０では、第２の偏光装置３３０Ｄは、１つの単結晶サファイア基板３４２ａで構成されたベース基板を備えている。また、液晶パネル３１０Ｄは、１つの単結晶サファイア基板３４２ｂで構成されたカバー基板を備えている。そして、一対の単結晶サファイア基板３４２ａ，３４２ｂは、図３（Ａ）に示す関係で配置されている。
【００７５】
上記の説明から分かるように、本実施例の構成は、図６の各偏光装置３２０Ａ，３３０Ａに含まれる互いに密接した状態の一対の単結晶サファイア基板を、離して配置した構成に相当する。このように、一対の単結晶サファイア基板が離れた位置に設けられる場合にも、一対の単結晶サファイア基板に入射する光の偏光状態と、一対の単結晶サファイア基板から射出される光の偏光状態とを、ほぼ同じにすることができる。すなわち、各単結晶サファイア基板における光の偏光状態の変化を緩和することができ、この結果、プロジェクタによって投写表示される画像のコントラストの低下を抑制することができる。
【００７６】
本実施例の構成を採用する場合には、図６の構成を採用する場合と比較して、単結晶サファイア基板の数を増加させずに、液晶パネル３１０Ｄと２つの偏光板３２１，３３１との双方の温度上昇を効率よく低減させることができるという利点がある。
【００７７】
なお、本実施例では、液晶ライトバルブ３００ＲＤは、その光入射面側と光射出面側とのそれぞれに一対の単結晶サファイア基板を備えているが、いずれか一方にのみ一対の単結晶サファイア基板を備えるようにしてもよい。
【００７８】
一般には、液晶ライトバルブは、液晶パネルと、液晶パネルの光入射面側と光射出面側とのうちの少なくとも一方に液晶パネルと対向して設けられた偏光板と、を備えていればよい。そして、一対の単結晶サファイア基板のうちの一方は、液晶パネルの２つの面のうちの偏光板に対向する面を形成しており、他方は、偏光板の２つの面のうちの液晶パネルに対向する面に設けられていればよい。
【００７９】
Ｅ．第５実施例：
図１１は、第５実施例における第１の液晶ライトバルブ３００ＲＥを示す説明図である。図１１は、図７とほぼ同じであるが、液晶パネル３１０Ｅが変更されている。
【００８０】
具体的には、図７では、液晶パネル３１０Ｂの光入射面を形成する第１のカバー基板３１１は、一対の単結晶サファイア基板３１１ａ，３１１ｂで構成されており、光射出面を形成する第２のカバー基板３１２は、一対の単結晶サファイア基板３１２ａ，３１２ｂで構成されている。一方、図１１では、液晶パネル３１０Ｅの光入射面を形成する第１のカバー基板は、１つの単結晶サファイア基板３１４ａで構成されており、光射出面を形成する第２のカバー基板は、１つの単結晶サファイア基板３１４ｂで構成されている。
【００８１】
なお、一対の単結晶サファイア基板３１４ａ，３１４ｂは、図３（Ａ）に示す関係で配置されている。具体的には、一対の単結晶サファイア基板３１４ａ，３１４ｂのそれぞれは、その表面とほぼ平行にｃ軸を含んでおり、一対の単結晶サファイア基板３１４ａ，３１４ｂのｃ軸は、互いにほぼ直交している。また、一対の単結晶サファイア基板３１４ａ，３１４ｂの厚みは、ほぼ等しく設定されている。
【００８２】
ところで、本実施例では、一対の単結晶サファイア基板３１４ａ，３１４ｂの間には、液晶パネル本体３０１が設けられている。このため、液晶パネル本体３０１が中間階調値で変調を実行する場合には、液晶パネル本体３０１内部の液晶分子の傾きに起因して、光の偏光状態は変化する。しかしながら、液晶パネル本体３０１が最大階調値および最小階調値で変調を実行する場合には、光の偏光状態は維持される。したがって、液晶パネル本体３０１は、最大階調値および最小階調値での変調に関係する画像のコントラストに、影響を与えない。すなわち、本実施例のように、一対の単結晶サファイア基板３１４ａ，３１４ｂが液晶パネル本体３０１を挟み込むような場合にも、各単結晶サファイア基板における光の偏光状態の変化を緩和することができ、この結果、プロジェクタによって投写表示される画像のコントラストの低下を抑制することができる。
【００８３】
なお、液晶パネル本体３０１が中間階調値で変調を実行する場合には、光の偏光状態が変化するため、投写表示される画像の色は、正確に再現されない。しかしながら、画像情報に対してガンマ補正を施せば、画像の色は、修正可能である。
【００８４】
本実施例の構成を採用する場合には、図７の構成を採用する場合と同様に、液晶パネルの温度上昇を効率よく低減させることができる。また、本実施例の構成を採用する場合には、図７の構成を採用する場合と比較して、単結晶サファイア基板の数を減少させることができるという利点がある。
【００８５】
なお、本実施例では、液晶パネル３１０Ｅは、図８に示すように、液晶層３０４を挟み込む２つのガラス基板３０２，３０３を備えているが、２つのガラス基板は省略可能である。この場合には、第１の単結晶サファイア基板３１４ａの液晶層３０４側の面と、第２の単結晶サファイア基板３１４ｂの液晶層３０４側の面とに、電極を形成すればよい。
【００８６】
一般には、液晶パネルは、液晶層と、液晶層の両側にそれぞれ設けられ、液晶パネルの光入射面と光射出面とを形成する一対の単結晶サファイア基板と、を備えていればよい。この場合にも、一対の単結晶サファイア基板を密接させた状態で、一対の基板に垂直な光を、一対の基板に入射させると仮定した場合には、一対の基板に入射する光の偏光状態と、一対の基板から射出される光の偏光状態と、をほぼ同じにすることができる。
【００８７】
Ｆ．第６実施例：
図１２は、第６実施例における第１の液晶ライトバルブ３００ＲＦを示す説明図である。図１２は、図１１とほぼ同じであるが、２つの偏光板３２１，３３１の配置が変更されている。
【００８８】
具体的には、第１の偏光板３２１は、液晶パネル３１０Ｅの光入射面を形成する第１の単結晶サファイア基板３１４ａ上に設けられており、第２の偏光板３３１は、液晶パネル３１０Ｅの光射出面を形成する単結晶サファイア基板３１４ｂ上に設けられている。
【００８９】
本実施例の構成を採用する場合には、図１１の構成を採用する場合と比較して、２つの偏光板３２１，３３１を設けるための２つのベース基板３２３，３３３を省略することができるという利点がある。ただし、図１１の構成を採用する場合には、液晶パネル３１０Ｅと２つの偏光板３２１，３３１との温度上昇をより低減させることができるという利点がある。
【００９０】
なお、この発明は上記の実施例や実施形態に限られるものではなく、その要旨を逸脱しない範囲において種々の態様において実施することが可能であり、例えば次のような変形も可能である。
【００９１】
（１）上記実施例では、一対の単結晶サファイア基板は、液晶ライトバルブに含まれているが、これに代えて、他の部位に設けられていてもよい。例えば、偏光変換素子１６０に含まれるλ／２位相差板を一対の単結晶サファイア基板上に設けるようにしてもよい。
【００９２】
また、上記実施例では、一対の単結晶サファイア基板が用いられているが、これに代えて、一対の水晶基板を用いるようにしてもよい。ここで、水晶とは、ＳｉＯ２　の単結晶を意味している。この場合には、水晶基板は、その表面とほぼ平行にＺ軸と呼ばれる１つの光学軸を含んでいればよい。また、一対の単結晶サファイア基板に代えて、単結晶サファイア基板と水晶基板とを組み合わせて用いるようにしてもよい。
【００９３】
さらに、上記実施例では、一対の単結晶サファイア基板の厚みは、ほぼ等しく設定されているが、これに代えて、互いに異なる厚みに設定されていてもよい。すなわち、一対の単結晶サファイア基板の厚みは、第１の単結晶サファイア基板の複屈折による第１の位相差と、第２の単結晶サファイア基板の複屈折による第２の位相差とが、キャンセルされるように、設定されていればよい。具体的には、２つの位相差の和が、２πｎ（ｎは整数（…，−２，−１，０，１，２，…））にほぼ等しく設定されていればよい。ただし、上記実施例のように、２つの位相差の和は、ほぼ０（すなわちｎ＝０）に設定されることが好ましい。この場合には、単結晶サファイアの光の波長依存性をキャンセルすることができる。具体的には、各単結晶サファイアのｃ軸方向とｃ軸に直交する方向との屈折率差は、光の波長に応じて異なるが、一対の単結晶サファイアの位相差の和をほぼ０（すなわちｎ＝０）に設定することによって、屈折率の波長依存性をキャンセルすることができる。なお、単結晶サファイア基板と水晶基板との組み合わせを用いる場合には、通常、一対の基板の厚みは、異なる厚みに設定される。
【００９４】
一般には、一対の透光性基板が、照明光学系から投写光学系までの光路に設けられていればよい。そして、一対の透光性基板のそれぞれは、その表面とほぼ平行に光学軸を含む一軸結晶で構成されており、一対の透光性基板の光学軸は、互いにほぼ直交しており、一対の透光性基板の厚みは、一対の透光性基板を密接させた状態で一対の透光性基板に垂直な光を一対の透光性基板に入射させると仮定した場合に、一対の透光性基板に入射する光の偏光状態と、一対の透光性基板から射出される光の偏光状態と、が同じになるように、設定されていればよい。
【００９５】
なお、一対の透光性基板が、同じ材料で構成される場合には、異なる材料で構成される場合と比較して、液晶ライトバルブを比較的容易に作製することができ、この結果、プロジェクタを比較的容易に作製することができるという利点がある。
【００９６】
また、一対の透光性基板が、ほぼ等しい厚みを有する場合には、異なる厚みを有する場合と比較して、液晶ライトバルブを比較的容易に作製することができ、この結果、プロジェクタを比較的容易に作製することができるという利点がある。
【００９７】
（２）上記実施例では、本発明を透過型の液晶パネルに適用する場合について説明したが、本発明は、反射型の液晶パネルにも同様に適用可能である。なお、反射型の液晶パネルに本発明を適用する場合には、一対の透光性基板は、液晶パネルの一方の面側に設けられたビームスプリッタの光入射面側と光射出面側とにそれぞれ配置されていればよい。
【００９８】
なお、上記実施例の液晶ライトバルブが、本発明における電気光学装置に相当する。電気光学装置は、液晶パネルのみを含んでいてもよいし、さらに、液晶パネルの光入射面側と光射出面側とのうちの少なくとも一方に設けられた偏光板を含んでいてもよい。
【００９９】
（３）上記実施例では、本発明をカラー画像を投写表示するプロジェクタ１０００に適用する場合について説明したが、本発明は、モノクロ画像を投写表示するプロジェクタにも同様に適用可能である。
【０１００】
一般には、プロジェクタは、照明光学系と、照明光学系からの光を画像情報に応じて変調する電気光学装置と、電気光学装置で得られる変調光を投写する投写光学系と、を備えていればよい。
【図面の簡単な説明】
【図１】プロジェクタの一例を示す概略構成図である。
【図２】図１の第１の液晶ライトバルブ３００Ｒを拡大して示す説明図である。
【図３】図２の第１のベース基板３２３を構成する一対の単結晶サファイア基板３２３ａ，３２３ｂの関係を示す説明図である。
【図４】ＥＦＧ法を用いる結晶成長装置を示す説明図である。
【図５】図４の単結晶サファイア板７４０を用いてベース基板３２３を作製する手順を示す説明図である。
【図６】第１実施例の変形例としての第１の液晶ライトバルブ３００ＲＡを示す説明図である。
【図７】第２実施例における第１の液晶ライトバルブ３００ＲＢを示す説明図である。
【図８】図７の液晶パネル３１０Ｂの概略断面図である。
【図９】第３実施例における第１の液晶ライトバルブ３００ＲＣを示す説明図である。
【図１０】第４実施例における第１の液晶ライトバルブ３００ＲＤを示す説明図である。
【図１１】第５実施例における第１の液晶ライトバルブ３００ＲＥを示す説明図である。
【図１２】第６実施例における第１の液晶ライトバルブ３００ＲＦを示す説明図である。
【符号の説明】
１０００…プロジェクタ
１００…照明光学系
１２０…光源装置
１６０…偏光変換素子
２００…色光分離光学系
２２０…リレー光学系
３００Ｒ，３００ＲＡ〜ＲＦ，３００Ｇ，３００Ｂ…液晶ライトバルブ
３０１…液晶パネル本体
３０２，３０３…ガラス基板
３０２ａ…共通電極
３０３ａ…画素電極
３０４…液晶層
３０４ｓ…シール部材
３１０，３１０Ｂ，Ｄ，Ｅ…液晶パネル
３１１，３１２…カバー基板
３１１ａ，３１１ｂ…単結晶サファイア基板
３１２ａ，３１２ｂ…単結晶サファイア基板
３１４ａ，３１４ｂ…単結晶サファイア基板
３２０，３２０Ａ，Ｄ…第１の偏光装置
３３０，３３０Ａ，Ｄ…第２の偏光装置
３２１，３３１…偏光板
３２３，３３３…ベース基板
３２３ａ，３２３ｂ…単結晶サファイア基板
３３３ａ，３３３ｂ…単結晶サファイア基板
３４１ａ，３４１ｂ…単結晶サファイア基板
３４２ａ，３４２ｂ…単結晶サファイア基板
３６０…クロスダイクロイックプリズム
３８０…投写光学系
７１０…坩堝
７２０…加熱コイル
７３０…型
７４０…単結晶サファイア板
【図１】
2004085862.tif 000003
【図２】
2004085862.tif 000004
【図３】
2004085862.tif 000005
【図４】
2004085862.tif 000006
【図５】
2004085862.tif 000007
【図６】
2004085862.tif 000008
【図７】
2004085862.tif 000009
【図８】
2004085862.tif 000010
【図９】
2004085862.tif 000011
【図１０】
2004085862.tif 000012
【図１１】
2004085862.tif 000013
【図１２】
2004085862.tif 000014